(57)【特許請求の範囲】
【請求項１】
下箱体を含み、前記下箱体の左部頂壁には上方に開口した踏み板溝が形成され、前記踏み板溝の底壁には踏み板ばねが固定的に連結され、前記踏み板ばねの頂端には前記踏み板溝とスライドできるように連結された踏み板が固定的に連結され、前記踏み板溝の底壁には上方に開口したＵ形溝が前後対称に形成され、前記Ｕ形溝の左側溝の中には踏み板ブロックがスライドできるように連結され、後側の前記踏み板ブロックの左端壁にはカウント機構が設置され、前後前記Ｕ形溝の底部溝の中は液圧液で満たされており、前後前記Ｕ形溝の右側溝の中には伝動ブロックがスライドできるように連結され、前後の前記Ｕ形溝の右側溝の頂壁には電磁石が固定的に設置され、前後前記Ｕ形溝の右側溝の右端壁には上方に開口した下歯車溝が形成され、前後前記下歯車溝の外端壁には前記下箱体と回転できるように連結された第一歯車軸が設置され、前後の前記第一歯車軸の内端には第一歯車が連結され、前後の前記第一歯車は、前記第一歯車の左側に位置し且つ伝動ブロックの右端壁に固定的に設置されたラックと噛み合うことができ、前後前記下歯車溝の前後壁の間には第二歯車軸が回転できるように連結され、前後の前記第二歯車軸の外部には前記第一歯車の右側に位置し且つ前記第一歯車と噛み合った第二歯車が連結され、前後の前記第二歯車軸には前記第二歯車の内側に位置した第二プーリーが連結され、前記下箱体の頂壁には上箱体が前後対称に固定的に設置され、前後の前記上箱体の底壁には下方に開口した中歯車溝が形成され、前記中歯車溝が前記下歯車溝の上方に位置しており、前後の前記中歯車溝の頂端の前後壁の間には第三歯車軸が回転できるように連結され、前後の前記第三歯車軸の外部には第三プーリーが連結され、前後の前記第三プーリーと前記第二プーリーが第一ベルトにより連結され、前後の前記第三歯車軸の内部には第三歯車が連結され、前後の前記中歯車溝の頂壁には左右に連通したスライドブロック溝が形成され、前後の前記スライドブロック溝の内部にはスライドブロックがスライドできるように連結され、前後の前記第三歯車は、前記第三歯車の上方に位置し且つ前記スライドブロックの底壁に固定的に設置されたラックと噛み合っており、前後の前記スライドブロックの右端にはドア機構が設置され、後側の前記スライドブロック溝の頂壁には顔認識機構が設置されていることを特徴とする人が入ることを識別及びカウントするセキュリティ装置。
【請求項２】
前記カウント機構は、後側の前記踏み板ブロックの左端壁に形成され且つ右方に開口したカウント溝を含み、後側の前記踏み板ブロックの左端には前記踏み板ブロックの左端壁に固定的に設置されたラックと噛み合った第四歯車と設置され、前記第四歯車が第四歯車軸と連結され、前記第四歯車軸が前記下箱体と回転できるように連結され、前記第四歯車が前記第四歯車の左側に位置した第五歯車と噛み合っており、前記第五歯車が第五歯車軸と連結され、前記第五歯車軸が前記下箱体と回転できるように連結され、前記カウント溝の後端壁には前記第五歯車の後方に位置したねじりばねブロックが固定的に連結され、前記ねじりばねブロックの後端内壁にはねじりばねが固定的に連結され、前記ねじりばねのもう一端が前記第五歯車に固定的に連結され、前記第五歯車が前記第五歯車の左側に位置した第六歯車と噛み合っており、前記第六歯車が第六歯車軸と連結され、前記第六歯車軸が前記下箱体と回転できるように連結され、前記第六歯車の前端壁には前方に開口したラチェット溝が形成され、前記ラチェット溝の壁には前記第六歯車と回転できるように連結されたつめが設置され、前記ラチェット溝の後端壁にはラチェット軸が回転できるように連結され、前記ラチェット軸の中部にはラチェットが連結され、前記ラチェット軸の前端には第一プーリーが連結され、前記カウント溝の左部には前記下箱体と回転できるように連結された第一プーリー軸が設置され、前記第一プーリー軸の中部には第四プーリーが連結され、前記第四プーリーと前記第四プーリーの右側に位置した第一プーリーとが第二ベルトにより連結され、前記第一プーリー軸の前端には前記第四プーリーの前方に位置した第五プーリーが連結され、前記カウント溝の左端頂壁には上下に連通した投影溝が形成され、前記投影溝の中には投影機構が設置されていることを特徴とする請求項１に記載の人が入ることを識別及びカウントするセキュリティ装置。
【請求項３】
前記投影機構は、前記投影溝の中に設置され且つ前記第五プーリーの上方に位置した第六プーリーを含み、前記第六プーリーと前記第五プーリーとが第三ベルトにより連結され、前記第六プーリーの前端壁には左フィルム巻取り器が固定的に連結され、前記投影溝の右端壁には投影フィルム箱が設置され、前記投影フィルム箱の中には投影フィルム空間が設置され、前記投影フィルム空間の後端壁には右フィルム巻取り器が回転できるように設置され、前記右フィルム巻取り器と前記左フィルム巻取り器が投影フィルム棒により連結され、前記投影フィルム空間の左端壁には左右に連通した出口溝が形成され、前記出口溝が投影フィルム棒とスライドできるように連結され、前記投影フィルム箱左端壁の底部にはライト板が固定的に連結され、前記ライト板の頂壁には投影ライトが固定的に連結され、前記投影溝の頂端には投影スクリーンが設置されていることを特徴とする請求項２に記載の人が入ることを識別及びカウントするセキュリティ装置。
【請求項４】
前記ドア機構は、前後の前記上箱体の右端壁に形成され且つ右方に開口したドア溝を含み、前後の前記ドア溝の上下壁の間には前記上箱体と回転できるように連結されたドア軸が設置され、前後の前記ドア軸がドアと回転できるように連結され、前後の前記ドアの内壁の中部にはドアブロックが固定的に連結され、前後の前記ドアブロックの左端壁にはドア引き紐が固定的に連結され、前後の前記ドア引き紐の左端が前記スライドブロックの右端壁に固定的に連結され、前後の前記ドア溝の左端壁の外部にはドア板が固定的に連結され、前後の前記ドア板の内壁の右端にはドアばねが固定的に連結されていることを特徴とする請求項１に記載の人が入ることを識別及びカウントするセキュリティ装置。
【請求項５】
前記顔認識機構は、後側の前記スライドブロック溝の頂壁に形成され且つ下方に開口した上歯車溝を含み、前記上歯車溝の中には前記スライドブロックの頂壁に設置されたラックと噛み合った第七歯車が設置され、前記第七歯車が第七歯車軸と連結され、前記第七歯車軸が前記上箱体と回転できるように連結され、前記第七歯車軸の後端には前傘歯車が連結され、前記前傘歯車が前記前傘歯車の後方の後傘歯車と噛み合っており、前記後傘歯車が第八歯車軸と連結され、前記第八歯車軸が前記上箱体と回転できるように連結され、前記第八歯車軸の左端には第八歯車が連結され、前記スライドブロック溝の上方には前方に開口した顔認識溝が形成され、前記顔認識溝が前記上歯車溝の左側に位置しており、前記第八歯車が前記顔認識溝の中に位置しており、前記第八歯車は、前記第八歯車の上方に位置し且つ前記顔認識溝とスライドできるように連結された上スライドブロックの底壁に設置されたラックと噛み合っており、前記上スライドブロックの頂壁には顔認識器が固定的に連結されていることを特徴とする請求項１に記載の人が入ることを識別及びカウントするセキュリティ装置。
【請求項６】
前記踏み板ブロックが下方へスライドするときラチェットが回転しなく、前記踏み板ブロックが上方へスライドするときラチェットが回転することを特徴とする請求項２に記載の人が入ることを識別及びカウントするセキュリティ装置。
【請求項７】
投影フィルム棒には数字投影フィルムがあることを特徴とする請求項３に記載の人が入ることを識別及びカウントするセキュリティ装置。
【発明の詳細な説明】
【技術分野】
【０００１】
本発明はセキュリティ分野を取り上げて、具体的には人が入ることを識別及びカウントするセキュリティ装置である。
【背景技術】
【０００２】
セキュリティとは平安や安全を指し、現在、各国の警察は重要な人物や活動を保護することをセキュリティと呼んでおり、現在ではよく多くの人がセキュリティ意識を持つことになり、、防犯を強化するためにあらゆる場所でセキュリティが必要になり、
現在、ほとんどの工場、ビルなどには人の流れが多く、入る人が多すぎるため、人力で人数を数えることはしにくく、出入りする人の数をリアルタイムで監視できず、また、従業員以外の人が入ると大きな安全性リスクをもたらす。
【先行技術文献】
【特許文献】
【０００３】
【特許文献１】中国特許出願公開第 １００３９４４５４号明細書
【発明の概要】
【発明が解決しようとする課題】
【０００４】
本願発明が解決しようとする技術問題は人が入ることを識別及びカウントするセキュリティ装置を提供し、人が多すぎるとリアルタイムで監視できず、従業員以外の人が入ることなどの問題を克服し、工場、ビルがより安全になる。
【課題を解決するための手段】
【０００５】
本発明は以下の技術プランを通じて実現する。
【０００６】
人が入ることを識別及びカウントするセキュリティ装置は、下箱体を含み、前記下箱体の左部頂壁には上方に開口した踏み板溝が形成され、前記踏み板溝の底壁には踏み板ばねが固定的に連結され、前記踏み板ばねの頂端には前記踏み板溝とスライドできるように連結された踏み板が固定的に連結され、前記踏み板溝の底壁には上方に開口したＵ形溝が前後対称に形成され、前記Ｕ形溝の左側溝の中には踏み板ブロックがスライドできるように連結され、後側の前記踏み板ブロックの左端壁にはカウント機構が設置され、前後前記Ｕ形溝の底部溝の中は液圧液で満たされており、前後前記Ｕ形溝の右側溝の中には伝動ブロックがスライドできるように連結され、前後の前記Ｕ形溝の右側溝の頂壁には電磁石が固定的に設置され、前後前記Ｕ形溝の右側溝の右端壁には上方に開口した下歯車溝が形成され、前後前記下歯車溝の外端壁には前記下箱体と回転できるように連結された第一歯車軸が設置され、前後の前記第一歯車軸の内端には第一歯車が連結され、前後の前記第一歯車は、前記第一歯車の左側に位置し且つ伝動ブロックの右端壁に固定的に設置されたラックと噛み合うことができ、前後前記下歯車溝の前後壁の間には第二歯車軸が回転できるように連結され、前後の前記第二歯車軸の外部には前記第一歯車の右側に位置し且つ前記第一歯車と噛み合った第二歯車が連結され、前後の前記第二歯車軸には前記第二歯車の内側に位置した第二プーリーが連結され、前記下箱体の頂壁には上箱体が前後対称に固定的に設置され、前後の前記上箱体の底壁には下方に開口した中歯車溝が形成され、前記中歯車溝が前記下歯車溝の上方に位置しており、前後の前記中歯車溝の頂端の前後壁の間には第三歯車軸が回転できるように連結され、前後の前記第三歯車軸の外部には第三プーリーが連結され、前後の前記第三プーリーと前記第二プーリーが第一ベルトにより連結され、前後の前記第三歯車軸の内部には第三歯車が連結され、前後の前記中歯車溝の頂壁には左右に連通したスライドブロック溝が形成され、前後の前記スライドブロック溝の内部にはスライドブロックがスライドできるように連結され、前後の前記第三歯車は、前記第三歯車の上方に位置し且つ前記スライドブロックの底壁に固定的に設置されたラックと噛み合っており、前後の前記スライドブロックの右端にはドア機構が設置され、後側の前記スライドブロック溝の頂壁には顔認識機構が設置されている。
【０００７】
優選的には、前記カウント機構は、後側の前記踏み板ブロックの左端壁に形成され且つ右方に開口したカウント溝を含み、後側の前記踏み板ブロックの左端には前記踏み板ブロックの左端壁に固定的に設置されたラックと噛み合った第四歯車と設置され、前記第四歯車が第四歯車軸と連結され、前記第四歯車軸が前記下箱体と回転できるように連結され、前記第四歯車が前記第四歯車の左側に位置した第五歯車と噛み合っており、前記第五歯車が第五歯車軸と連結され、前記第五歯車軸が前記下箱体と回転できるように連結され、前記カウント溝の後端壁には前記第五歯車の後方に位置したねじりばねブロックが固定的に連結され、前記ねじりばねブロックの後端内壁にはねじりばねが固定的に連結され、前記ねじりばねのもう一端が前記第五歯車に固定的に連結され、前記第五歯車が前記第五歯車の左側に位置した第六歯車と噛み合っており、前記第六歯車が第六歯車軸と連結され、前記第六歯車軸が前記下箱体と回転できるように連結され、前記第六歯車の前端壁には前方に開口したラチェット溝が形成され、前記ラチェット溝の壁には前記第六歯車と回転できるように連結されたつめが設置され、前記ラチェット溝の後端壁にはラチェット軸が回転できるように連結され、前記ラチェット軸の中部にはラチェットが連結され、前記ラチェット軸の前端には第一プーリーが連結され、前記カウント溝の左部には前記下箱体と回転できるように連結された第一プーリー軸が設置され、前記第一プーリー軸の中部には第四プーリーが連結され、前記第四プーリーと前記第四プーリーの右側に位置した第一プーリーとが第二ベルトにより連結され、前記第一プーリー軸の前端には前記第四プーリーの前方に位置した第五プーリーが連結され、前記カウント溝の左端頂壁には上下に連通した投影溝が形成され、前記投影溝の中には投影機構が設置されている。
【０００８】
優選的には、前記投影機構は、前記投影溝の中に設置され且つ前記第五プーリーの上方に位置した第六プーリーを含み、前記第六プーリーと前記第五プーリーとが第三ベルトにより連結され、前記第六プーリーの前端壁には左フィルム巻取り器が固定的に連結され、前記投影溝の右端壁には投影フィルム箱が設置され、前記投影フィルム箱の中には投影フィルム空間が設置され、前記投影フィルム空間の後端壁には右フィルム巻取り器が回転できるように設置され、前記右フィルム巻取り器と前記左フィルム巻取り器が投影フィルム棒により連結され、前記投影フィルム空間の左端壁には左右に連通した出口溝が形成され、前記出口溝が投影フィルム棒とスライドできるように連結され、前記投影フィルム箱左端壁の底部にはライト板が固定的に連結され、前記ライト板の頂壁には投影ライトが固定的に連結され、前記投影溝の頂端には投影スクリーンが設置されている。
【０００９】
優選的には、前記ドア機構は、前後の前記上箱体の右端壁に形成され且つ右方に開口したドア溝を含み、前後の前記ドア溝の上下壁の間には前記上箱体と回転できるように連結されたドア軸が設置され、前後の前記ドア軸がドアと回転できるように連結され、前後の前記ドアの内壁の中部にはドアブロックが固定的に連結され、前後の前記ドアブロックの左端壁にはドア引き紐が固定的に連結され、前後の前記ドア引き紐の左端が前記スライドブロックの右端壁に固定的に連結され、前後の前記ドア溝の左端壁の外部にはドア板が固定的に連結され、前後の前記ドア板の内壁の右端にはドアばねが固定的に連結されている。
【００１０】
優選的には、前記顔認識機構は、後側の前記スライドブロック溝の頂壁に形成され且つ下方に開口した上歯車溝を含み、前記上歯車溝の中には前記スライドブロックの頂壁に設置されたラックと噛み合った第七歯車が設置され、前記第七歯車が第七歯車軸と連結され、前記第七歯車軸が前記上箱体と回転できるように連結され、前記第七歯車軸の後端には前傘歯車が連結され、前記前傘歯車が前記前傘歯車の後方の後傘歯車と噛み合っており、前記後傘歯車が第八歯車軸と連結され、前記第八歯車軸が前記上箱体と回転できるように連結され、前記第八歯車軸の左端には第八歯車が連結され、前記スライドブロック溝の上方には前方に開口した顔認識溝が形成され、前記顔認識溝が前記上歯車溝の左側に位置しており、前記第八歯車が前記顔認識溝の中に位置しており、前記第八歯車は、前記第八歯車の上方に位置し且つ前記顔認識溝とスライドできるように連結された上スライドブロックの底壁に設置されたラックと噛み合っており、前記上スライドブロックの頂壁には顔認識器が固定的に連結されている。
【００１１】
優選的には、前記踏み板ブロックが下方へスライドするときラチェットが回転しなく、前記踏み板ブロックが上方へスライドするときラチェットが回転する。
【００１２】
優選的には、投影フィルム棒には数字投影フィルムがある。
【発明の効果】
【００１３】
本願発明の有益的な効果は：本願発明は構造が簡単であり、操作が便利であり、モータが必要なく、人員が入るとき自動的にカウントおよび識別でき、その日の人員に対する安全検査に有利であり、カウント機構は、入り口を入る人員をカウントでき、人数が異常な場合は、数字で直感的にわかり、セキュリティ対策が強化され、顔認識機構は入場時に人の顔を識別し、誰も通過しないときに収納されて防塵でき、入り口セキュリティをより安全で信頼できるものにすることができる。
【図面の簡単な説明】
【００１４】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本願発明の実施例の構造概略図
【図２】図２は本願発明の実施例の図１のＡ―Ａの概略図
【図３】図３は本願発明の実施例の図２のＢの構造拡大概略図
【図４】図４は本願発明の実施例の図２のＣ―Ｃの概略図
【図５】図５は本願発明の実施例の図２のＤ―Ｄの概略図
【図６】図６は本願発明の実施例の図３のＥ―Ｅの概略図
【発明を実施するための形態】
【００１６】
図１〜６を参照し、人が入ることを識別及びカウントするセキュリティ装置は、下箱体２を含み、前記下箱体２の左部頂壁には上方に開口した踏み板溝１９が形成され、前記踏み板溝１９の底壁には踏み板ばね２０が固定的に連結され、前記踏み板ばね２０の頂端には前記踏み板溝１９とスライドできるように連結された踏み板３が固定的に連結され、前記踏み板溝１９の底壁には上方に開口したＵ形溝３２が前後対称に形成され、前記Ｕ形溝３２の左側溝の中には踏み板ブロック３１がスライドできるように連結され、後側の前記踏み板ブロック３１の左端壁にはカウント機構が設置され、前後前記Ｕ形溝３２の底部溝の中は液圧液で満たされており、前後前記Ｕ形溝３２の右側溝の中には伝動ブロック３３がスライドできるように連結され、前後の前記Ｕ形溝３２の右側溝の頂壁には電磁石２１が固定的に設置され、前後前記Ｕ形溝３２の右側溝の右端壁には上方に開口した下歯車溝３０が形成され、前後前記下歯車溝３０の外端壁には前記下箱体２と回転できるように連結された第一歯車軸３５が設置され、前後の前記第一歯車軸３５の内端には第一歯車３４が連結され、前後の前記第一歯車３４は、前記第一歯車３４の左側に位置し且つ伝動ブロックの右端壁に固定的に設置されたラックと噛み合うことができ、前後前記下歯車溝３０の前後壁の間には第二歯車軸４が回転できるように連結され、前後の前記第二歯車軸４の外部には前記第一歯車３４の右側に位置し且つ前記第一歯車３４と噛み合った第二歯車３６が連結され、前後の前記第二歯車軸４には前記第二歯車３６の内側に位置した第二プーリー３７が連結され、前記下箱体２の頂壁には上箱体１０が前後対称に固定的に設置され、前後の前記上箱体１０の底壁には下方に開口した中歯車溝１２が形成され、前記中歯車溝１２が前記下歯車溝３０の上方に位置しており、前後の前記中歯車溝１２の頂端の前後壁の間には第三歯車軸１４が回転できるように連結され、前後の前記第三歯車軸１４の外部には第三プーリー１５が連結され、前後の前記第三プーリー１５と前記第二プーリー３７が第一ベルト２７により連結され、前後の前記第三歯車軸１４の内部には第三歯車１３が連結され、前後の前記中歯車溝１２の頂壁には左右に連通したスライドブロック溝１１が形成され、前後の前記スライドブロック溝１１の内部にはスライドブロック１６がスライドできるように連結され、前後の前記第三歯車１３は、前記第三歯車１３の上方に位置し且つ前記スライドブロック１６の底壁に固定的に設置されたラックと噛み合っており、前後の前記スライドブロック１６の右端にはドア機構が設置され、後側の前記スライドブロック溝１１の頂壁には顔認識機構が設置されている。
【００１７】
有益的には、前記カウント機構は、後側の前記踏み板ブロック３１の左端壁に形成され且つ右方に開口したカウント溝４５を含み、後側の前記踏み板ブロック３１の左端には前記踏み板ブロック３１の左端壁に固定的に設置されたラックと噛み合った第四歯車５６と設置され、前記第四歯車５６が第四歯車軸５５と連結され、前記第四歯車軸５５が前記下箱体２と回転できるように連結され、前記第四歯車５６が前記第四歯車５６の左側に位置した第五歯車５７と噛み合っており、前記第五歯車５７が第五歯車軸５８と連結され、前記第五歯車軸５８が前記下箱体２と回転できるように連結され、前記カウント溝４５の後端壁には前記第五歯車５７の後方に位置したねじりばねブロック６０が固定的に連結され、前記ねじりばねブロック６０の後端内壁にはねじりばね５９が固定的に連結され、前記ねじりばね５９のもう一端が前記第五歯車５７に固定的に連結され、前記第五歯車５７が前記第五歯車５７の左側に位置した第六歯車５０と噛み合っており、前記第六歯車５０が第六歯車軸８０と連結され、前記第六歯車軸８０が前記下箱体２と回転できるように連結され、前記第六歯車５０の前端壁には前方に開口したラチェット溝６７が形成され、前記ラチェット溝６７の壁には前記第六歯車５０と回転できるように連結されたつめ６８が設置され、前記ラチェット溝６７の後端壁にはラチェット軸５３が回転できるように連結され、前記ラチェット軸５３の中部にはラチェット５１が連結され、前記ラチェット軸５３の前端には第一プーリー５２が連結され、前記カウント溝４５の左部には前記下箱体２と回転できるように連結された第一プーリー軸４７が設置され、前記第一プーリー軸４７の中部には第四プーリー４８が連結され、前記第四プーリー４８と前記第四プーリー４８の右側に位置した第一プーリー５２とが第二ベルト４９により連結され、前記第一プーリー軸４７の前端には前記第四プーリー４８の前方に位置した第五プーリー４６が連結され、前記カウント溝４５の左端頂壁には上下に連通した投影溝４４が形成され、前記投影溝４４の中には投影機構が設置されている。
【００１８】
有益的には、前記投影機構は、前記投影溝４４の中に設置され且つ前記第五プーリー４６の上方に位置した第六プーリー４２を含み、前記第六プーリー４２と前記第五プーリー４６とが第三ベルト４３により連結され、前記第六プーリー４２の前端壁には左フィルム巻取り器４１が固定的に連結され、前記投影溝４４の右端壁には投影フィルム箱６２が設置され、前記投影フィルム箱６２の中には投影フィルム空間７０が設置され、前記投影フィルム空間７０の後端壁には右フィルム巻取り器６１が回転できるように設置され、前記右フィルム巻取り器６１と前記左フィルム巻取り器４１が投影フィルム棒４０により連結され、前記投影フィルム空間７０の左端壁には左右に連通した出口溝６９が形成され、前記出口溝６９が投影フィルム棒４０とスライドできるように連結され、前記投影フィルム箱６２左端壁の底部にはライト板６３が固定的に連結され、前記ライト板６３の頂壁には投影ライト６４が固定的に連結され、前記投影溝４４の頂端には投影スクリーン３９が設置されている。
【００１９】
有益的には、前記ドア機構は、前後の前記上箱体１０の右端壁に形成され且つ右方に開口したドア溝１７を含み、前後の前記ドア溝１７の上下壁の間には前記上箱体１０と回転できるように連結されたドア軸５が設置され、前後の前記ドア軸５がドア７と回転できるように連結され、前後の前記ドア７の内壁の中部にはドアブロック８が固定的に連結され、前後の前記ドアブロック８の左端壁にはドア引き紐１８が固定的に連結され、前後の前記ドア引き紐１８の左端が前記スライドブロック１６の右端壁に固定的に連結され、前後の前記ドア溝１７の左端壁の外部にはドア板６が固定的に連結され、前後の前記ドア板６の内壁の右端にはドアばね９が固定的に連結されている。
【００２０】
有益的には、前記顔認識機構は、後側の前記スライドブロック溝１１の頂壁に形成され且つ下方に開口した上歯車溝２８を含み、前記上歯車溝２８の中には前記スライドブロック１６の頂壁に設置されたラックと噛み合った第七歯車２９が設置され、前記第七歯車２９が第七歯車軸３０と連結され、前記第七歯車軸３０が前記上箱体１０と回転できるように連結され、前記第七歯車軸３０の後端には前傘歯車６５が連結され、前記前傘歯車６５が前記前傘歯車６５の後方の後傘歯車６６と噛み合っており、前記後傘歯車６６が第八歯車軸２２と連結され、前記第八歯車軸２２が前記上箱体１０と回転できるように連結され、前記第八歯車軸２２の左端には第八歯車２３が連結され、前記スライドブロック溝１１の上方には前方に開口した顔認識溝２６が形成され、前記顔認識溝２６が前記上歯車溝２８の左側に位置しており、前記第八歯車２３が前記顔認識溝２６の中に位置しており、前記第八歯車２３は、前記第八歯車２３の上方に位置し且つ前記顔認識溝２６とスライドできるように連結された上スライドブロック２４の底壁に設置されたラックと噛み合っており、前記上スライドブロック２４の頂壁には顔認識器２５が固定的に連結されている。
【００２１】
有益的には、前記踏み板ブロック３１が下方へスライドするときラチェットが回転しなく、前記踏み板ブロック３１が上方へスライドするときラチェットが回転する。
【００２２】
有益的には、投影フィルム棒４０には数字投影フィルムがある。
【００２３】
初期状態では、前記踏み板ばね２０と、前記ねじりばね５９及び前記ドアばね９がいずれも自然状態にあり、前記踏み板ブロック３１が一番上端にあり、前記伝動ブロック３３が一番下端にあり、前記スライドブロック１６が最右端にあり、前記上スライドブロック２４が最後端にある。
【００２４】
本願発明全体の機械動作の流れ：
１．人が踏み板３を踏み、踏み板３が重力作用により下方へスライドし、これにより踏み板ブロック３１を下方へスライドさせ、これにより第四歯車５６を回転させ、これにより第五歯車５７を回転させ、これによりねじりばね５９をねじり、踏み板ブロック３１が下方へスライドして伝動ブロック３３を上方へスライドさせ、これにより第一歯車３４を回転させ、これにより第二歯車３６を回転させ、これにより第二歯車軸４を回転させ、これにより第二プーリー３７を回転させ、これにより第一ベルト２７を伝動させ、これにより第三プーリー１５を回転させ、これにより第三歯車軸１４を回転させ、これにより第三歯車１３を回転させ、これによりスライドブロック１６を左方へスライドさせ、これによりドア引き紐１８を左方へ移動させ、これによりドア７がドア軸５を中心として回転し、これにより前後の二つのドア７を閉める。
２．後側のスライドブロック１６が左方へスライドし、これにより第七歯車２９を回転させ、これにより第七歯車軸３０を回転させ、これにより前傘歯車６５を回転させ、これにより後傘歯車６６を回転させ、これにより第八歯車軸２２を回転させ、これにより第八歯車２３を回転させ、これにより上スライドブロック２４を前方へスライドさせ、これにより顔認識器２５を上箱体１０から離れるように前方へ移動させて顔を認識させ、認識できない場合は電磁石２１を通電させてドア７の閉め状態を維持し、認識できる場合は続けて後の動作を行う。
３．人が踏み板３から離れ、これにより踏み板３が踏み板ばね２０の復帰作用により上方へスライドし、これにより踏み板ブロック３１を上方へスライドさせ、これにより第四歯車５６を反転させ、これにより第五歯車５７がねじりばね５９の復帰作用により逆回転して第六歯車５０を逆回転させ、これによりつめ６８がラチェット５１を回転させ、これによりラチェット軸５３を回転させ、これにより第一プーリー５２を回転させ、これにより第二ベルト４９を伝動させ、これにより第四プーリー４８を回転させ、これにより第一プーリー軸４７を回転させ、これにより第五プーリー４６を回転させ、これにより第三ベルト４３を伝動させ、これにより第六プーリー４２を回転させ、これにより左フィルム巻取り器４１を回転させ、これにより投影フィルム棒４０を左方へスライドさせて一つの数字を増加させ、これにより投影ライト６４が投影フィルムを投影スクリーン３９に投影し表示する。
４．本願発明を復帰させるとき、人が踏み板３から離れ、これにより踏み板３が踏み板ばね２０の復帰作用により上方へスライドし、これにより踏み板ブロック３１を上方へスライドさせ、これにより伝動ブロック３３を下方へスライドさせ、これにより第一歯車３４を反転させ、これにより第二歯車３６を反転させ、これにより第二歯車軸４を反転させ、これにより第二プーリー３７を反転させ、これにより第一ベルト２７を伝動させ、これにより第三プーリー１５を反転させ、これにより第三歯車軸１４を反転させ、これにより第三歯車１３を反転させ、これによりスライドブロック１６を右方へスライドさせ、これによりドア引き紐１８を緩め、これによりドア７がドアばね９の復帰作用によりドア軸５を中心として反転し、これにより前後二つのドア７を開け、後側のスライドブロック１６が右方へスライドし、これにより第七歯車２９を反転させ、これにより第七歯車軸３０を反転させ、これにより前傘歯車６５を反転させ、これにより後傘歯車６６を反転させ、これにより第八歯車軸２２を反転させ、これにより第八歯車２３を反転させ、これにより上スライドブロック２４を後ろへスライドさせ、これにより顔認識器２５が後ろへ移動して上箱体１０の中に戻り、本願発明が復帰を完成する。
【００２５】
以上に述べたのはただ本願発明の具体的な実施方式で、しかし本願発明の保護範囲はここに限らないである。全部の創造的な労働を通じなく思いついた変化と取替は本願発明の保護範囲にカバーされる。だから本願発明の保護範囲は権利要求書が限定される保護範囲を標準とする。
【要約】      （修正有）【課題】本発明は人が入ることを識別及びカウントするセキュリティ装置を提供する。【解決手段】下箱体を含み、前記下箱体２の左部頂壁には上方に開口した踏み板溝１９が形成され、踏み板溝１９の底壁には踏み板ばね２０が固定的に連結され、踏み板ばね２０の頂端には踏み板溝１９とスライドできるように連結された踏み板３が固定的に連結され、踏み板溝１９の底壁には上方に開口したＵ形溝３２が前後対称に形成され、Ｕ形溝３２の左側溝の中には踏み板ブロック３１がスライドできるように連結され、後側の踏み板ブロック３１の左端壁にはカウント機構が設置され、Ｕ形溝３２の底部溝の中は液圧液で満たされており、Ｕ形溝３２の右側溝の中には伝動ブロック３３がスライドできるように連結されている。【選択図】図２【図１】
0006842003.tif 000002
【図２】
0006842003.tif 000003
【図３】
0006842003.tif 000004
【図４】
0006842003.tif 000005
【図５】
0006842003.tif 000006
【図６】
0006842003.tif 000007